(57)【要約】【課題】星の煌めきやダイヤモンドダストのような自然界に存在する輝きを人工的に創出する光装飾体を提供する。【解決手段】遮光性を有する遮光層１２と、透光性を有する透光層１４と、遮光層１２と透光層１４との間に位置する反射層によって光装飾体１０を構成する。鑑賞者は、透光層１４を介して、反射層に設けられた複数の反射体２４によって反射された光を鑑賞する。透光層１４には光透過率を低減させる加工が施されており、反射光のうち特に輝度の高い光のみが透光層１４を透過し、それ以外の低輝度の光は透過しないか、透過したとしても極めて僅かな光量となる。これにより、鑑賞者には、透光層１４越しに高輝度の光が点在しているように見え、あたかも星の煌めきやダイヤモンドダストを眼前にしているような印象を受ける。【選択図】図４
2018154112.tif 000002
【特許請求の範囲】
【請求項１】
遮光性を有する遮光層と、
透光性を有する透光層と、
前記遮光層と前記透光層との間に照射された光を反射させる反射層を備え、
前記透光層が、前記反射層において反射された反射光を選択的に透過させる程度の透光性を有していることを特徴とする、
光装飾体。
【請求項２】
前記反射層が、気泡を内包していることを特徴とする、
請求項１に記載の光装飾体。
【請求項３】
前記反射層が、反射面を有する反射体を備えていることを特徴とする、
請求項１に記載の光装飾体。
【請求項４】
前記反射体が、少なくとも一部に曲面を含むことを特徴とする、
請求項３に記載の光装飾体。
【請求項５】
前記反射体が、球状体であることを特徴とする、
請求項４に記載の光装飾体。
【請求項６】
前記反射体が、少なくとも反射面を含む部位が露出した状態で埋設されていることを特徴とする、
請求項３乃至５の何れかに記載の光装飾体。
【請求項７】
前記反射体が、比較的低反射の棒状体を介して前記遮光層から離れた位置に固定されていることを特徴とする、
請求項３乃至５の何れかに記載の光装飾体。
【請求項８】
前記透光層が、前記気泡の輪郭部における反射光を透過しない程度の透光性を有していることを特徴とする、
請求項２に記載の光装飾体。
【請求項９】
前記透光層が、前記反射体の輪郭部における反射光を透過しない程度の透光性を有していることを特徴とする、
請求項３乃至７の何れかに記載の光装飾体。
【請求項１０】
前記反射層が、
気泡を内包する複数の気泡層によって構成されていることを特徴とする、
請求項２または８に記載の光装飾体。
【請求項１１】
前記反射層が、
気泡を内包する気泡層と気泡を内包しない無気泡層によって構成されていることを特徴とする、
請求項２または８に記載の光装飾体。
【請求項１２】
前記遮光層と前記透光層との間に照射された光が両層の間から透過しないように遮光されていることを特徴とする、
請求項１乃至１１の何れかに記載の光装飾体。
【発明の詳細な説明】
【技術分野】
【０００１】
本発明は、星の煌めきやダイヤモンドダストのような自然界に存在する輝きを人工的に創出する光装飾体に関する。
【背景技術】
【０００２】
従来、光を利用して装飾性を表現する装飾体が広く知られている。例えば特許文献１に記載されている装飾体は、透明単相の有機ガラスと、ガラス中に存在する独立気泡によって構成されている。各独立気泡は厚さ方向に互いに重なることなく、平面方向の二次元面に添って面状かつランダムに分散している。装飾体の端面側からＬＥＤ光等の照明光を前記端面に対して照射すると、最初に受光した独立気泡の外面で形成された有機板ガラスの凹面で照射光が屈曲し、独立気泡の存在を引き立たせる点に特徴がある。また特許文献２に記載されている装飾体は、表面に凹凸状のモチ−フが形成された光透過性素材から成る表版と、この表版内部に位置し、着色された光透過性素材から成る着色板とから成る鑑賞用装飾体において、表版の内部に多数の気泡が形成されていることを特徴としている。装飾体に自然光或いは人工光が当たったとき、多数の気泡に光が当たって反射、屈折するとともに、気泡表面の凹凸の違いによって各々微妙な反射、屈折の違いが生じることにより、装飾体の表版表面から見たときのモチ−フの色や陰影等を微妙に変化させる点に特徴がある。
【先行技術文献】
【特許文献】
【０００３】
【特許文献１】特開２０１１−０５１３２４号公報
【特許文献２】実用新案登録第３０１４８２４号公報
【発明の概要】
【発明が解決しようとする課題】
【０００４】
従来の装飾体は、光の照射方向の反対方向から装飾体を鑑賞するものであるため、気泡による反射光だけではなく光源からの直接光も視野に入ることになり、全体が明るく照らし出された華やかな印象を与えるものになっている。従来の装飾体では、自然界に存在する星の煌めきやダイヤモンドダストのように背景に浮かび上がる鮮烈な輝きを創出することは困難であった。
【０００５】
本発明は、星の煌めきやダイヤモンドダストのような自然界に存在する輝きを人工的に創出する光装飾体を提供することを目的とする。
【課題を解決するための手段】
【０００６】
本発明は、前述した課題を解決するため、以下のように構成される光装飾体を提供する。
【０００７】
本発明の光装飾体は、遮光性を有する遮光層と、透光性を有する透光層と、前記遮光層と前記透光層との間に照射された光を反射させる反射層を備え、前記透光層が、前記反射層において反射された反射光を選択的に透過させる程度の透光性を有していることを特徴とする。
【０００８】
遮光層は、背面からの入光を遮断することによって反射光を際立たせる機能を有する。透光層は、比較的高輝度の光を透過させ、それ以外の低輝度の光をできるだけ透過させないことによって、滲みの少ない輪郭が明確な光を視認できるようにする機能を有する。
【０００９】
光装飾体は、反射層が気泡を内包し、気泡の輪郭部で光を反射させる構成とすることができる。この場合、透光層が、前記気泡の輪郭部における反射光を透過しない程度の透光性を有する構成とすることが望ましい。また、反射層を、気泡を内包する複数の気泡層によって構成することもでき、さらには、気泡を内包する気泡層と気泡を内包しない無気泡層によって構成ることもできる。
【００１０】
また、光装飾体は、反射層が反射面を有する反射体を備える構成とすることができる。この場合、透光層が、前記反射体の輪郭部における反射光を透過しない程度の透光性を有する構成とすることが望ましい。また、反射体は、一部だけが表出した状態で埋設されていてもよく、球状体であってもよい。さらには、比較的低反射の棒状体を介して遮光層に固定されていてもよい。
【００１１】
また、光装飾体は、遮光層と透光層との間に照射された光が両層の間から透過しないように遮光されていることが望ましい。
【発明の効果】
【００１２】
本発明の光装飾体によれば、直接光を遮断し、反射光のうち比較的高輝度の光のみを視認できるようにすることによって、華美な装飾性を排除し、星の煌めきやダイヤモンドダストのような自然界に存在する輝きを創出することができる。これにより、従来の光装飾体では得られなかった鎮静や癒しの効果を得ることができるようになる。
【図面の簡単な説明】
【００１３】
【図１】光装飾体の一実施形態の構成を表す模式図
【図２】光装飾体の他の実施形態の構成を表す模式図
【図３】光装飾体の一実施形態における光の反射を示す模式図
【図４】光装飾体の他の実施形態における光の反射を示す模式図
【図５】光装飾体の他の実施形態における光の反射を示す模式図
【図６】光装飾体の他の実施形態における光の反射を示す模式図
【図７】光装飾体の他の実施形態における光の反射を示す模式図
【図８】反射光の見え方を示す模式図
【発明を実施するための形態】
【００１４】
本発明の実施の形態について図面を参照しながら説明する。最初に、図１を参照しながら、光装飾体の基本的な構成および作用について説明する。光装飾体１０は、遮光層１２および透光層１４、反射層１６の３つの層によって構成される。遮光層１２は、光装飾体１０の背面、すなわち光装飾体１０の鑑賞方向と逆方向からの光の透過を遮るための層である。全ての光を透さない完全なる遮光性を有することが望ましいが、鑑賞性を損なわない程度の光の透過であれば許容することができる。遮光層１２の素材としてはベニヤ板や金属板、有色樹脂等を用いることもできるし、樹脂やガラス等に濃色系の顔料による着色処理を施した透明樹脂やガラス等を用いることもできる。透光層１４は、鑑賞のための光を透過させる層である。光透過率を下げるために光を吸収しやすい濃色系の顔料等による着色処理がなされており、比較的輝度の高い反射光のみを選択的に透過させ、それ以外の光は可能な限り遮断される。なお、顔料を用いる以外の方法によって透過率を低減させることもできる。例えば、着色フィルムや偏光フィルムを貼付したり、層の表面にヤスリ掛けするなどの表面加工を施したりしてもよい。
【００１５】
続いて、反射層１６の構成および作用について説明する。反射層１６は、遮光層１２と透光層１４との間に位置し、遮光層１２と透光層１４との間に照射された光を反射させる作用を有する。光源１８から照射された光は反射層１６によって反射され、各方向に進行するが、このうち透光層１４を透過した反射光が、光装飾体１０における鑑賞対象となる。なお、光源１８は、太陽光もしくは照明器具による人工光を用いる。照明器具はその種類を問わないが、ＬＥＤであれば高輝度、高指向性で配光制御も容易である。
【００１６】
反射層１６は様々な形態で実施することが可能であるが、ここでは代表的な２つの形態について説明する。第１の形態は、図１に示すように、反射層１６がポリエステル樹脂やエポキシ樹脂、ＵＶ樹脂などの透明樹脂で構成され、内部に複数の気泡２０が形成されている。図３に示すように、遮光層１２と透光層１４との間に向けて光を照射すると、気泡２０と透明樹脂との境界部（気泡の輪郭部）で光の反射が起きる。これらの反射光のうち特に輝度の高い反射光のみが透光層１４を透過する。それ以外の低輝度の反射光は透光層１４によって吸収されるため、透過することができないか、透過したとしても極めて僅かな光量となり、ほとんど目立つことはない。これにより、気泡２０の一点のみが強く輝いた状態となり、図８に示すように、星やダイヤモンドダストのような輝きを鑑賞することができる。なお、反射層１６は、透明樹脂の他にも、気泡を内包したガラスや、水を張った水槽に泡を発生させることによっても構成することができる。
【００１７】
反射層１６は複数の層で構成することもできる。例えば、反射層を３つの層で構成し、それぞれに気泡２０を内包する場合、各気泡２０と鑑賞者との間により大きな距離感が創出されるため、透光層１４を透して得られる煌めきにより立体的な遠近感を演出することができる。また、気泡を内包する気泡層と気泡を内包しない無気泡層とを混在させることもできる。
【００１８】
反射層１６の第２の形態は、図２に示すように、枠２２の内側に配置される反射体２４によって構成される。反射体２４は枠内の任意の場所に配置することができるが、ここでは遮光層１２に固定している。反射体２４は光を反射する性質があるもの、例えばガラス片や金属片、樹脂など、であれば材質は問われない。また遮光層１２に霧吹きなどで水滴を付着させたものを反射体２４として使用することもできる。
【００１９】
図４に示すように、遮光層１２と透光層１４との間に向けて光を照射すると、反射体２４の表面で光の反射が起きる。これらの反射光のうち特に輝度の高い反射光のみが透光層１４を透過する。それ以外の低輝度の反射光は透光層１４によって吸収されるため、透過することができないか、透過したとしても極めて僅かな光量となり、ほとんど目立つことはない。これにより、反射体２４の一点のみが強く輝いた状態となり、星やダイヤモンドダストのような輝きを鑑賞することができる。
【００２０】
なお、反射体２４の形状や大きさについても特定の形態のものに限定されることはないが、側方からの照射光によって遮光層１２に生じる影については考慮する必要がある。遮光層１２に生じた影は透光層１４の透過率によっては視認できる場合もあるため、理想的には影を生じさせないか、もしくは生じさせたとしても小さく目立たない程度であることが望ましい。従って、反射体２４の形態としては、十分な光量を反射するための反射面の面積は確保した上で、できるだけ小さく、また高さの低いものであることが好ましい。
【００２１】
図２では、反射体２４を遮光層１２の表面に直接設置する例を示しているが、反射体２４はこれ以外の方法によっても設置することができる。例えば図５に示すように、支持層２６を遮光層１２との境界に設置し、反射体２４が支持層２６に囲まれた状態になるように設置することもできる。この設置方法によれば、支持層２６の表面に露出する部分の高さや面積を自由に調節することができるので、反射面の面積の確保と影の大きさのバランスの調節が容易である。また、この設置方法によれば、遮光層１２に固定することが難しい球状のものであっても容易に設置することができる。支持層２６が粘土のような比較的柔軟な素材のものであれば、粘土に押し込むことで反射体２４を設置することができる。また、反射体２４を適宜並べた型枠内に溶融させた樹脂等を流し込み、反射体２４の周囲に固化させる方法もある。
【００２２】
この他にも、例えば図６に示すように、反射体２４をピン２８のような細長い棒状体の先端に取り付け、ピン２８を遮光層１２に挿し込むことで設置する方法もある。この場合、ピン２８には低反射の素材を用いるか、もしくは低反射の塗料を塗布して反射を抑制する。またピン２８はできるだけ細く短くして影の発生を抑制する。なお、図５および図６において、反射体２４を球状体として表しているが、反射体２４は、平面もしくは曲面を少なくとも反射面の一部として含んでいれば、反射体としての機能を有する。従って、完全な球ではない形状のもの、例えば球欠（球冠）や球台（球帯）であっても反射体２４として用いることができる。
【００２３】
光装飾体１０の製造においては反射層１６に最も手間と費用を要するため、大量生産を前提とする場合は反射層１６に係る工数をいかに削減するかが課題となる。これを解決するためには様々な手法があるが、最も簡便な手法として、遮光層１２と反射体２４を一体成型で製造する方法がある。一体成型であれば、適宜の間隔で窪みを設けた型枠に樹脂などを流し込むことで簡単に製造することができる。完成した一体成型品は、図７に示すように遮光層１２と反射体２４を兼ねるため、個別に製造、組み立てを行う場合と比べて必要な工数を削減することが可能になる。
【００２４】
反射光を鑑賞の対象とすれば、従来のように直接光を利用する場合に比べて、より細かい繊細な煌めきを表現することが可能である。例えば、極めて微小な気泡（直径が０．１ｍｍ程度の気泡。）であっても、光源の光を的確に反射して鑑賞対象とすることができる。同様な煌めきを直接光で表現しようとすれば、例えば、遮光層１２にピンホールを形成し、このピンホールを通過した直接光を鑑賞対象とする場合、直径０．１ｍｍ程度の煌めきを作りだすことは極めて困難である。このように反射光を利用することで、より繊細な煌めきの表現を技術的に可能にし、よりリアリティのある表現が可能になる。水滴を反射体とする場合、恒久性は失われるものの、制作にかかる時間はより短縮される。
【００２５】
また直接光を利用する場合、装飾体の全面に満遍なく光を供給するために複数の光源を設置するか、もしくは装飾体と光源との距離を延ばして光を拡散させることになるため、装置自体の大型化や制作費の増大を招くことになる。これに対して、反射光を利用すれば、装飾体の側方に少なくとも一つの光源を設置すれば、鑑賞に十分耐えうる煌めきを表現することができる。
【００２６】
反射層１６の外周部、すなわち遮光層１２と透光層１４との間を遮光すれば、反射光をより綺麗に鑑賞することができるようになる。この部分を遮光することにより、光源１８から反射層１６に照射された光が外部に漏れ出ないようにするとともに、光源１８以外の光が反射層１６に入射しないようにすることができるため、余計な光に鑑賞を妨げられることがなくなる。
【符号の説明】
【００２７】
１０  光装飾体
１２  遮光層
１４  透光層
１６  反射層
１８  光源
２０  気泡
２４  反射体
２６  支持層
２８  ピン
【図１】
2018154112.tif 000003
【図２】
2018154112.tif 000004
【図３】
2018154112.tif 000005
【図４】
2018154112.tif 000006
【図５】
2018154112.tif 000007
【図６】
2018154112.tif 000008
【図７】
2018154112.tif 000009
【図８】
2018154112.tif 000010